(57)【要約】【課題】  電池蓋を紛失するおそれのない薬剤揮散用器具を提供する。【解決手段】  閉蓋状態および開蓋状態のいずれにおいても器具本体１０に連結されている常時係止部５１と、閉蓋状態においてのみ器具本体に連結される閉蓋時係止部４１とによって、電池蓋３０を器具本体１０に連結する。電池蓋３０は、常時係止部５１によって、閉蓋状態および開蓋状態のいずれの状態においても器具本体１０に連結されている。つまり、いかなる状態においても、電池蓋３０が器具本体１０から分離してしまうことはなく、したがって、電池蓋３０が紛失するということは起こりえない。【選択図】図３
2006230242.tif 000002
【特許請求の範囲】
【請求項１】
電池収容室（２０）を有する器具本体（１０）と、当該電池収容室を開閉する電池蓋（３０）とを備え、防虫成分を含浸させた基体が内部に収容され、該基体が電動モータの出力軸に連結され電動モータを回転させて防虫成分を外部に揮散させる薬剤揮散用器具であって、
電池蓋（３０）は、閉蓋状態および開蓋状態のいずれにおいても器具本体（１０）に連結されている常時係止部と、閉蓋状態においてのみ器具本体（１０）に連結される閉蓋時係止部と、によって器具本体（１０）に連結されていることを特徴とする、薬剤揮散用器具。
【請求項２】
上記常時係止部は、電池蓋の一端部と電池収容室の一端部とに設けたヒンジ式連結部（Ａ）であることを特徴とする、請求項１記載の薬剤揮散用器具。
【請求項３】
上記電池蓋（３０）は、電池収容室（２０）を覆い上記閉蓋時係止部（４１）を有する蓋部分（４０）と、蓋部分（４０）から延在して先端に上記常時係止部（５１）を有するアーム部（５０）と、アーム部（５０）から折り返されて蓋部分（４０）近傍にまで延在するフック部（６０）と、から構成されていて、
電池蓋（３０）を閉じたとき、上記蓋部分（４０）およびアーム部（５０）が器具の外壁面の一部を構成し、当該外壁面と上記フック部（６０）との間に固定対象を挟持することで、使用者の身体に装着されることを特徴とする、請求項１記載の薬剤揮散用器具。
【請求項４】
上記閉蓋時係止部（４１）の係脱の際の弾性変位を容易にするスリット（４３ａ、４３ｂ）を、当該閉蓋時係止部（４１）の両側位置に設けたことを特徴とする、請求項１〜３のいずれか１つに記載の薬剤揮散用器具。
【発明の詳細な説明】
【技術分野】
【０００１】
本発明は、ベルト等に取り付けて使用する携帯用の薬剤揮散用器具に関する。
【背景技術】
【０００２】
ベルト等に取り付けて使用する携帯用の薬剤揮散用器具が従来から知られており、例えば、特許文献１および特許文献２に開示されている。
そのような薬剤揮散用器具は、防虫成分を含浸させた基体を内部に収容していて、器具本体に設けたフック部を利用してベルトに固定される。器具本体には、乾電池で駆動されるモータが内蔵されていて、これによって基体を回転させ、防虫成分を揮散させる。
【０００３】
【特許文献１】特開２００１−１９７８５６号公報
【特許文献２】特開２００３−１０２３６１号公報
【発明の開示】
【発明が解決しようとする課題】
【０００４】
上記の薬剤揮散用器具においては、動力源として乾電池を採用しているため、電池収容室が設けられており、蓋部材を開けて電池の出し入れを行う。そして、何らかの理由でこの蓋部材を紛失してしまうという問題がある。
したがって、本発明は、蓋部材を紛失するおそれのない薬剤揮散用器具を提供することを目的とする。
【課題を解決するための手段、および発明の効果】
【０００５】
本発明は、上記事情に鑑みて創案されたものであって、以下の特徴を備えた薬剤揮散用器具を提供する。
本発明の薬剤揮散用器具は、「電池収容室を有する器具本体」と「当該電池収容室を開閉する電池蓋」とを備えている。器具本体内には、防虫成分を含浸させた基体が収容されていて、該基体が電動モータの出力軸に連結されている。電動モータを回転させて防虫成分が外部に揮散される。電池蓋は、「閉蓋状態および開蓋状態のいずれにおいても器具本体に連結されている常時係止部」と「閉蓋状態においてのみ器具本体に連結される閉蓋時係止部」とによって器具本体に連結されている。
【０００６】
上記構成を備えた本発明の薬剤揮散用器具においては、電池蓋は、常時係止部によって、閉蓋状態および開蓋状態のいずれの状態においても器具本体に連結されている。すなわち、いかなる状態においても、器具本体から分離してしまうことはなく、したがって、電池蓋が紛失するということは起こりえない。
【０００７】
本発明においては、上記電池蓋は、「電池収容室を覆い上記閉蓋時係止部を有する蓋部分」と「蓋部分から延在して先端に上記常時係止部を有するアーム部」と「アーム部から折り返されて蓋部分近傍にまで延在するフック部」とから構成されているのが好ましい。その場合、電池蓋を閉じた時、上記蓋部分およびアーム部が器具の外壁面の一部を為し、当該外壁面と上記フック部との間に固定対象（例えば、使用者が着用するベルト等）を挟持することで、使用者の身体に装着されるように構成することが好ましい。
【０００８】
そのような構成した場合、電池交換の際の電池室へのアクセスを容易にするとともに器具壁面のスペースを有効に利用して、扱い易さおよび小型化を両立できる。
【発明を実施するための最良の形態】
【０００９】
本発明の実施形態を添付の図面を参照して以下に詳細に説明する。図１は、本発明の一実施形態に係る薬剤揮散用器具を示す斜視図である。
【００１０】
≪薬剤揮散用器具の概要≫
薬剤揮散用器具は、防虫成分を含浸させた基体（不図示）を内部に収容していて、これを電動モータで回転させることで、防虫成分を外部に揮散させる。
薬剤揮散用器具の器具本体１０の前面には、多数の揮散用開口１１ａを有するカバー１１が設けられていて、このカバー１１を開閉して、防虫成分を含浸させた基体の取付け及び取外しを行う。カバー１１は、その下方部分１２において、器具本体１０に対してヒンジ結合されていて、上方の係止フック１４によって器具本体１０に係止されている。
【００１１】
器具本体１０内では、防虫成分を含浸させた上記基体が電動モータの出力軸に連結されている。本体前面のスイッチ部材１８をオンすると、上記基体が回転し、防虫成分が揮散用開口１１ａを通して外部に揮散される。スイッチオンの状態では、ランプ１９が点灯する。
【００１２】
≪電池収容室および電池蓋の構成≫
図２は、薬剤揮散用器具の背面側から見た斜視図である。図３は、電池蓋３０を少し開けた状態を示しており、図４は、さらに電池蓋３０を開けた状態を示している。この薬剤揮散用器具は、フック部６０を使用者が着用するベルト等（固定対象）に引っ掛けることで身体に装着できる、携帯タイプのものである。また、器具本体１０の上部に設けた引っ掛け部１３を用いて、木の枝や壁等に吊り下げて使用することもできる。
【００１３】
器具本体１０の背面側には、モータ駆動用の乾電池を収容する電池収容室２０が設けられている。図示の例においては、電池収容室２０を開閉させる電池蓋３０は、蓋部分４０とアーム部５０とフック部６０とから構成される。
【００１４】
蓋部分４０は、電池収容室２０を直接覆う部分であって、フック係止部（閉蓋時係止部）４１を一端縁に備えている。
アーム部５０は、蓋部分４０から延在する細長い板状部材であって、その先端部には回動軸（常時係止部）５１が形成されている。
フック部６０は、アーム部５０先端の回動軸５１が設けられた位置から折り返されて、蓋部分４０近傍にまで延在している。
【００１５】
図２に示したように電池蓋３０を閉じた状態では、蓋部分４０およびアーム部５０が器具本体１０の外壁面１０ａの一部を構成している。このように構成された外壁面とフック部６０との間に、使用者が身に付けているベルト等（固定対象）を挟み込んで挟持することで、この薬剤揮散用器具を身体に装着できる。
【００１６】
器具本体１０の外壁面１０ａ上には、対向する２つの係止突片１５ａ、１５ｂが設けられていて、各係止突片１５ａ、１５ｂに形成された孔部に、アーム部５０先端の回動軸５１が嵌入している。このようにして、電池蓋３０は器具本体１０に連結されていて、回動軸５１を中心として回動する。
一方、蓋部分４０に設けられたフック係止部４１は、閉蓋時には、電池収容室２０の一端に形成された係止部２１と係合して閉蓋状態を維持するが、開蓋時には、係止部２１から離脱する。
【００１７】
回動軸５１は、本発明における「常時係止部」を構成し、一方、フック係止部４１は、本発明における「閉蓋時係止部」を構成している。
すなわち、回動軸５１は、電池蓋３０を閉じた閉蓋状態においても、電池蓋３０を開けた開蓋状態においても、いずれの場合にも器具本体１０に連結されていて、分離されることはない。一方、フック係止部４１は、閉蓋状態においてのみ器具本体１０に連結され、開蓋状態では、器具本体１０から分離する。
【００１８】
なお、蓋部分４０において、フック係止部４１の両側位置にスリット４３ａ、４３ｂを設けている。このようなスリット４３ａ、４３ｂを設けると、器具本体１０側の係止部２１に対する係脱の際、フック係止部４１の弾性変位が容易となる。
すなわち、スリット４３ａ、４３ｂ間の領域４２を指で押圧して容易に撓ませることができるので、係止部２１と係合したフック係止部４１を簡単に外すことができる。また、電池蓋３０を閉じる際、蓋部分４０を押してフック係止部４１を係止部２１に係合させるのに必要な力も小さくて済む。
【００１９】
以上のように、電池蓋３０は全体として、器具本体１０と常時連結されていて分離することがないので、これを紛失することは起こり得ない。
【００２０】
≪他の実施形態≫
電池蓋の紛失を防止するという観点では、本発明の薬剤揮散用器具の具体的な形態は、図２〜４に示したものに限定されず、少なくとも「閉蓋状態および開蓋状態のいずれにおいても器具本体１０に連結されている常時係止部」と「閉蓋状態においてのみ器具本体１０に連結される閉蓋時係止部」とが電池蓋に設けられていれば足りる。
【００２１】
例えば、図５に示したように、一枚の板材で電池蓋３０’を構成し、当該電池蓋３０’の一端部と電池収容室２０の一端部とをヒンジ式に連結（図５中、Ａで示した連結部）することで「常時係止部」を構成してもよい。この場合、「閉蓋時係止部」は、図２〜４に示した実施形態と同様に、フック係止部４１で構成される。すなわち、このフック係止部４１は、電池収容室２０の一端に形成された係止部２１と係合して閉蓋状態を維持する。
【００２２】
しかし、図２〜４に示した実施形態は、図５の実施形態に比べて、次のような利点がある。
【００２３】
≪図２〜４に示した実施形態の利点１≫
電池蓋３０を全開させた場合に、電池収容室２０に対して３６０°どの方向からでもアクセスが可能となるため、電池交換作業が容易である。図５の例では、電池蓋３０’自体が邪魔になって、図中上方からのアクセスが制限される。
【００２４】
≪図２〜４に示した実施形態の利点２≫
身体への装着のためのフック部６０が電池蓋３０と一体的に構成されているので、器具本体１０自体を小型に保ったまま、大きなフック部６０を採用でき、その結果、身体への装着作業が容易となるだけでなく、しっかりとした装着が可能となる。
仮に、図５の例において、電池蓋３０’と別部材のフック部であって、図２〜４に示したものと同じ大きさのものを採用しようとすると、その分だけ、電池蓋３０’の上方側の壁面１０ａ’を大面積に確保しなければならず、その分だけ、器具が大型化してしまう。
図２〜４に示した例では、蓋部分４０とフック部６０を一体化してなる電池蓋３０を採用することで、そのような不都合を防いでいる。
【図面の簡単な説明】
【００２５】
【図１】本発明の一実施形態に係る薬剤揮散用器具を示す前方斜視図。
【図２】図１の薬剤揮散用器具の後方斜視図。
【図３】図２の状態から電池蓋を少し開けた状態を示す後方斜視図。
【図４】図３の状態から電池蓋をさらに開けた状態を示す後方斜視図。
【図５】本発明の別の実施形態に係る薬剤揮散用器具を説明する後方斜視図。
【符号の説明】
【００２６】
１０  薬剤揮散用器具の本体
１１  前カバー
１１ａ  揮散用開口
１３  引っ掛け部
１４  係止フック
１５ａ、１５ｂ  係止突片
１８  スイッチ部材
１９  ランプ
２０  電池収容室
２１  係止部
３０、３０’  電池蓋
４０  蓋部分
４１  フック係止部（閉蓋時係止部）
４２  スリット間の領域
４３ａ、４３ｂ  スリット
５０  アーム部
５１  回動軸（常時係止部）
６０  フック部
【図１】
2006230242.tif 000003
【図２】
2006230242.tif 000004
【図３】
2006230242.tif 000005
【図４】
2006230242.tif 000006
【図５】
2006230242.tif 000007